(57)【要約】【課題】ユーザーにとって各種設定項目の設定に便利な電子機器を提供することを目的とする。【解決手段】上記課題を解決するために、本発明のデジタルカメラ１００は、液晶ディスプレイ１２３と、時計設定項目が設定されているか否かを判定するコントローラ１３０と、コントローラ１３０により、時計設定項目が設定されていないと判定されたとき、設定項目を設定するための時計設定画面を液晶ディスプレイ１２３に表示するよう制御するコントローラ１３０と、コントローラ１３０は、時計設定項目の設定が完了した後に、時計設定画面の内容に関する画面を表示部に表示する。【選択図】図３
2011134180.tif 000002
【特許請求の範囲】
【請求項１】
表示部と、
所定の設定項目が設定されているか否かを判定する判定部と、
前記判定部により、前記所定の設定項目が設定されていないと判定されたとき、前記設定項目を設定するための第一の画面を前記表示部に表示するよう制御する第一の表示制御部と、
前記第一の表示制御部は、前記所定の設定項目の設定が完了した後に、前記第一の画面の内容に関する第二の画面を前記表示部に表示する、
電子機器。
【請求項２】
前記所定の設定項目に関する設定画面を、ユーザーによる操作を受け付けて前記表示部に表示するよう制御する第二の表示制御部と、を更に備え、
前記第二の画面は、前記設定画面を前記表示部に表示する操作方法を示す画面である、
請求項１に記載の電子機器。
【請求項３】
前記操作方法は、前記設定画面を前記表示部に表示するまでにユーザーが選択すべき項目である、
請求項２に記載の電子機器。
【請求項４】
前記設定画面は、前記所定の設定項目を再設定するための画面である、
請求項２または３に記載の電子機器。
【請求項５】
前記設定画面は、前記所定の設定項目に付随して設定される項目を設定するための画面である、
請求項２または３に記載の電子機器。
【請求項６】
前記第二の画面は、設定された前記所定の設定項目の内容をユーザーに確認する画面である、
請求項１に記載の電子機器。
【請求項７】
前記設定項目は、時計設定である、
請求項１から６のいずれかに記載の電子機器。
【発明の詳細な説明】
【技術分野】
【０００１】
本発明は設定画面を表示する表示部を備えた電子機器に関する。
【背景技術】
【０００２】
デジタルカメラやテレビなどの電子機器の初回起動時に、機器の動作に関する各種設定項目についての画面を自動的に表示し、使用者に設定を促す技術が知られている。
【０００３】
例えば、特許文献１は、電源ＯＮ時に時計設定済みか否かを判定し、判定結果が否の場合に時計設定モードを起動する電子機器を開示している。特許文献１の電子機器は、時計設定終了後、通常動作モードに切り替わる。
【先行技術文献】
【特許文献】
【０００４】
【特許文献１】特開2001-166077号公報
【発明の概要】
【発明が解決しようとする課題】
【０００５】
しかしながら、特許文献１の電子機器は、ユーザーが設定項目を誤りがある内容で設定してしまった場合にも通常動作モードに切り替わってしまっていた。更に、特許文献１の電子機器は、ユーザーが設定項目を修正したい場合であっても、該設定項目を設定済みであると判定してしまうため、ユーザーは設定項目の修正をすることができなかった。
【０００６】
本発明は上記課題を鑑みてなされたものであり、ユーザーにとって各種設定項目の設定に便利な電子機器を提供することを目的とする。
【課題を解決するための手段】
【０００７】
上記課題を解決するために、本発明の電子機器は、表示部と、所定の設定項目が設定されているか否かを判定する判定部と、判定部により、所定の設定項目が設定されていないと判定されたとき、設定項目を設定するための第一の画面を前記表示部に表示するよう制御する第一の表示制御部と、第一の表示制御部は、所定の設定項目の設定が確定された後に、第一の画面の内容に関する第二の画面を表示部に表示する。
【発明の効果】
【０００８】
これにより本発明は、ユーザーにとって各種設定項目の設定に便利な電子機器を提供することができる。
【図面の簡単な説明】
【０００９】
【図１】デジタルカメラ１００の電気的構成図
【図２】デジタルカメラ１００の背面構成図
【図３】デジタルカメラ１００の電源投入時の動作フローチャート
【図４】時計設定誘導画面の説明図
【図５】時計設定画面の説明図
【図６】時計設定の確認画面の説明図
【図７】時計未設定の確認画面の説明図
【図８】時計設定の再設定手順の表示画面の説明図
【図９】スルー画像表示画面の説明図
【図１０】時計設定の再設定時の画面遷移図
【発明を実施するための形態】
【００１０】
〔１．実施の形態１〕
実施の形態１のデジタルカメラ１００は、初回起動時に自動で時計設定を行う画面を液晶ディスプレイ１２３に表示し、ユーザーが時計設定を行った後に、時計設定の再設定の方法を液晶ディスプレイ１２３に表示する。以下、デジタルカメラ１００の構成および動作を説明する。
【００１１】
〔１−１．構成〕
以下図を用いてデジタルカメラ１００の構成を説明する。
【００１２】
〔１−１−１．デジタルカメラの構成〕
図１は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは前処理部（ＡＦＥ：Analog Front End）１２１や画像処理部１２２において各種処理を施される。画像データはフラッシュメモリ１４２やメモリカード１４０に記憶される。フラッシュメモリ１４２やメモリカード１４０に記憶された画像データは、使用者による操作部１５０の操作を受け付けて液晶ディスプレイ（ＬＣＤ）１２３上に再生表示される。
【００１３】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１４】
フォーカスレンズ１１１は焦点距離の調節に用いられる。ズームレンズ１１２は拡大縮小倍率の調節に用いられる。絞り１１３は、ＣＣＤイメージセンサに入射する光量の調節に用いられる。シャッタ１１４は、ＣＣＤイメージセンサに入射する光の露出時間を調節する。フォーカスレンズ１１１、ズームレンズ１１２、絞り１１３、シャッタ１１４は、それぞれに対応したＤＣモータやステッピングモータ等の駆動手段（不図示）により、コントローラ１３０から通知された制御信号に従って駆動される。
【００１５】
ＣＣＤイメージセンサ１２０は光学系１１０を通して形成された被写体像を撮像して画像データを生成する。ＣＣＤイメージセンサ１２０は、一定時間ごとに新しいフレームの画像データを生成する。また、ＣＣＤイメージセンサ１２０は電子シャッタ動作により露出光量を調節する。なお本発明においては、ＣＣＤイメージセンサ１２０に代えて、例えばＣＭＯＳイメージセンサやＮＭＯＳイメージセンサなど、他の撮像素子を用いても良い。
【００１６】
前処理部１２１は、ＣＣＤイメージセンサ１２０で生成された画像データに対して、相関二重サンプリング、ゲイン調整等の処理を実行する。また、アナログ形式の画像データからデジタル形式の画像データへの変換を施す。その後、前処理部１２１は画像データを画像処理部１２２に出力する。
【００１７】
画像処理部１２２は、画像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。また、これらの一部を欠く構成としてもよい。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００１８】
コントローラ１３０は、デジタルカメラ１００全体の動作を統括制御する。コントローラ１３０は、プログラム等の情報を格納するＲＯＭ（不図示）や、プログラム等の情報を処理するＣＰＵ（不図示）などにより構成される。ＲＯＭは、フォーカス制御や露出制御に関するプログラムの他、デジタルカメラ１００全体の動作を統括制御するためのプログラムを格納している。
【００１９】
コントローラ１３０は、ハードワイヤードな電子回路で構成してもよいし、マイクロコンピュータなどで構成してもよい。また、画像処理部１２２などと共に1つの半導体チップで構成してもよい。また、ＲＯＭはコントローラ１３０の内部構成である必要はなく、コントローラ１３０の外部に備わったものでもよい。
【００２０】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２１】
フラッシュメモリ１４２は、画像データ等を記憶するための内部メモリとして機能する。コントローラ１３０は、画像処理部１２２で処理される画像データをフラッシュメモリ１４２あるいはメモリカード１４０に記憶する。また、フラッシュメモリ１４２は、後述する時計設定機能の実行プログラムを格納する。
【００２２】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２３】
メモリカード１４０は、内部にフラッシュメモリ等の記憶部を備えた外部メモリである。メモリカード１４０は、画像処理部１２２で処理される画像データなどのデータを記憶可能である。本実施例では、外部メモリの一例としてメモリカード１４０を示すが、本発明はこれには限らない。例えば、光ディスク等の記憶媒体を外部メモリとしてもよい。
【００２４】
操作部１５０は、デジタルカメラ１００の外装に備わっている操作釦や操作ダイヤルの総称であり、使用者による操作を受け付ける。例えば図２に示すように、レリーズ釦２０１や、ズームダイヤル２０２、選択釦２０３、決定釦２０５、削除釦２０６などがこれにあたる。操作部１５０は使用者による操作を受け付けると、コントローラ１３０に種々の動作指示信号を通知する。
【００２５】
液晶ディスプレイ１２３は、デジタルカメラ１００の背面に備わる。液晶ディスプレイ１２３は、画像処理部１２２にて処理された画像データに基づく画像を表示する。液晶ディスプレイ１２３が表示する画像には、スルー画像や記憶画像がある。スルー画像は、ＣＣＤイメージセンサ１２０により一定時間ごとに生成される新しいフレームの画像を連続して表示する画像である。使用者は、液晶ディスプレイ１２３に表示されるスルー画像を参照することにより、被写体の構図を確認しながら撮影できる。記憶画像は、メモリカード１４０やフラッシュメモリ１４２に記憶された画像である。液晶ディスプレイ１２３は、使用者の操作に応じて、すでに記憶した画像データに基づく画像を表示する。また、液晶ディスプレイ１２３は、画像の他、デジタルカメラ１００の設定条件等を表示可能である。
【００２６】
時計回路１６０は、経過時間をカウントしている。時計回路１６０は、後述する時計設定画面にて設定された年月日および時刻に対して経過時間を加算していき現在時刻情報として保持する。これにより、コントローラ１３０は、メモリカード１４０に記録する画像に時刻情報を付加することができる。
【００２７】
〔１−１−２．本発明との対応関係〕
液晶ディスプレイ１２３は、本発明の表示部の一例である。コントローラ１３０は、本発明の判定部の一例である。コントローラ１３０は、本発明の第一の表示制御部の一例である。コントローラ１３０は、本発明の第二の表示制御部の一例である。デジタルカメラ１００は、本発明の電子機器の一例である。
【００２８】
〔１−２．動作〕
以下図を用いてデジタルカメラ１００の動作を説明する。
【００２９】
図３はデジタルカメラの電源投入時の動作フローチャートである。使用者により電源釦２０４が押下されると、コントローラ１３０はデジタルカメラ１００を構成する各部に電力を供給する（S３００）。光学系や撮像系などデジタルカメラ１００を構成する各システムの初期化が終了した後、コントローラ１３０は、時計設定が済んでいるか否かを判定する（Ｓ３０１）。ここで時計設定とは、デジタルカメラ１００に記録させておく年月日および時刻の設定である。
【００３０】
ステップS３０１の答えがイエスの場合、コントローラ１３０は、液晶ディスプレイ１２３へのスルー画像表示を開始する（Ｓ３０８）。図９のようにスルー画像が表示されると、ユーザーは撮影動作を行うことができる。
【００３１】
一方、ステップS３０１の答えがノーの場合、コントローラ１３０は、時計設定機能を起動する（S３０２）。時計設定機能が起動されると、コントローラ１３０は、液晶ディスプレイ１２３に図４に示すような時計設定誘導画面を表示する。時計設定誘導画面を表示することにより、ユーザーに時計設定を開始する旨を通知する。時計設定誘導画面が表示された状態で、ユーザーによる選択釦２０３の決定釦２０５の押下操作があると、コントローラ１３０は、図５に示すように液晶ディスプレイ１２３に年月日および時刻を設定するための時計設定画面を表示する。時計設定画面には、年月日および時刻と、年月日の表示順序と、時刻表示形式が表示される。デフォルトの状態では、例えば「２００９／１／１」「年／月／日」「２４時間」と表示されている。液晶ディスプレイ１２３は、ユーザーによる設定対象となっている項目にカーソルを表示する。年月日および時刻の表示領域にカーソルが表示されているとき、ユーザーは選択釦２０３を操作することにより年月日および時刻を入力できる。同様に、年月日の表示順序の表示領域にカーソルが表示されているときは、年月日の表示順序を、年／月／日、月／日／年、日／月／年から選択することができる。また、時刻表示形式の表示領域にカーソルが表示されているときは、２４時間表示と１２時間表示のいずれかを選択することができる。
【００３２】
ユーザーは時計設定画面に従って選択釦２０３を用いて日付および時刻を入力する。ユーザーは所望の年月日および時刻を入力し終えると、決定釦２０５を押下して入力した内容を確定する。
【００３３】
内容が決定ボタン２０５の押下により確定されると、コントローラ１３０は、時計設定画面の表示中において、ユーザーによる選択釦２０３の操作を受け付けて、時計設定項目がデフォルトの状態から内容に一度でも変更があったか否かを判定する（Ｓ３０３）。時計設定項目がデフォルトの状態から内容に変更があったと判定されると、液晶ディスプレイ１２３は、図６に示すような時計設定内容の確認画面を表示する（Ｓ３０４）。時計設定内容の確認画面には、時計設定した旨と設定された時間が表示される。時計設定項目を一度決定した後に、設定された時間を液晶ディスプレイ１２３に確認表示するので、ユーザーは設定した時間で良いか否かを容易に判断することができる。ユーザーは、入力した時計設定内容を変更したいとき、削除釦２０６を押下する。このとき、液晶ディスプレイ１２３に時計設定画面が再表示されるため、ユーザーは時計設定内容を再度変更することができる。一方、入力した時計設定内容で良ければ、決定釦２０５を押下する。このとき、コントローラ１３０は、時計設定が終了したと判定する（Ｓ３０６）。コントローラ１３０は、時計設定が終了したと判定されると時計設定機能を終了させる。
【００３４】
一方、ステップＳ３０３にて、時計設定項目がデフォルトの状態から内容に変更がなかったと判定されると、液晶ディスプレイ１２３は、図７に示すような時計未設定の確認画面を表示する（Ｓ３０５）。時計未設定の確認画面は、ユーザーにより時計設定がされていないことを確認する内容が表示される。このとき、ユーザーは「はい」と「いいえ」を選択釦２０３の操作により選択することができる。ユーザーが「はい」を選択すると、コントローラ１３０は、時計設定内容をデフォルトの状態のまま設定し、時計設定が終了したと判定する（Ｓ３０６）。コントローラ１３０は、時計設定が終了したと判定されると時計設定機能を終了させる。一方、ユーザーが「いいえ」を選択すると、コントローラ１３０は動作をステップＳ３０２に戻す。このように、液晶ディスプレイ１２３が時計未設定の確認画面を表示するので、ユーザーは時計設定内容を変更しないまま誤って決定釦２０５を押下してしまったような場合であっても、時計設定内容を容易に設定し直すことができる。
【００３５】
ステップＳ３０６にて時計設定が終了したと判定されると、コントローラ１３０は、図８に示すように時計設定の再設定手順の概要を液晶ディスプレイ１２３に表示する（Ｓ３０７）。再設定手順の詳細は後述する。このとき、決定釦２０５が押下されると、液晶ディスプレイ１２３は図９のスルー画像表示を開始する（Ｓ３０８）。このように電源投入時に自動で起動される時計設定機能の終了時に再設定手順をユーザーに示すことでユーザーは電源投入時に自動で表示された時計設定画面で誤って年月日および時刻を入力して終了してしまった場合でも、再設定するための手順を知ることができる。従って、ユーザーは、容易に時計設定を再設定することが可能となる。
【００３６】
時計設定の再設定手順の詳細について説明する。図１０は実施の形態１に係るデジタルカメラ１００にて時計設定の再設定手順を実行する際の画面遷移図である。まず、ユーザーは選択釦２０３の決定釦２０５を押すことでメニュー画面Ｄ９００を液晶ディスプレイ２０３に表示させる。メニュー画面とは、撮影・再生・各種設定などの機能ごとのまとまりで分けられたタブと各タブに属する各種設定項目が表示されている画面のことである。なお、時計設定項目は各種設定タブに属する項目であり、各種設定タブ内には時計設定項目以外にも、操作音設定項目や、スピーカー音量設定項目などがある。
【００３７】
続いてユーザーは、画面Ｄ９０１に示すように選択釦２０３の上下左右の釦を用いて、各種設定タブにカーソルを合わせる。このとき、液晶ディスプレイ１２３は前述した時計設定項目、操作音設定項目、スピーカー音量設定項目などの各種設定タブに属する設定項目の一覧を表示する。画面Ｄ９０２に示すように、ユーザーは表示された設定項目の一覧から時計設定にカーソルを合わせて決定釦２０５を押下する。このとき液晶ディスプレイは図５を用いた前述の画面と同様の時計設定画面Ｄ９０３を表示する。ユーザーは前述の時計設定画面と同様の操作方法で時計を再設定することができる。
【００３８】
なお、図３のステップＳ３０７にて前述した再設定手順の概要とは、ユーザーが時計設定の再設定の際に各画面で選択すべき項目、すなわちメニュー画面、各種設定タブ、時計設定項目などのキーワードを表示することでユーザーに設定項目の場所を明示するものである。従って、仮に時計設定の項目までの各画面で行う操作手順が多く、ユーザーが独力で再設定を行うことが困難な場合でも、各画面ごとのキーワードを明示することで、ユーザーは再設定手順を容易に知ることができる。従って、ユーザーは、容易に時計設定の再設定を行うことが可能となる。
【００３９】
〔１−３．まとめ〕
以上説明したように、実施の形態１のデジタルカメラ１００は、液晶ディスプレイ１２３と、時計設定項目が設定されているか否かを判定するコントローラ１３０と、コントローラ１３０により、時計設定項目が設定されていないと判定されたとき、時計設定項目を設定するための時計設定画面を液晶ディスプレイ１２３に表示するよう制御するコントローラ１３０と、ユーザーによる操作を受け付けて、時計設定項目の時計設定画面を液晶ディスプレイ１２３に表示するよう制御するコントローラ１３０とを備え、コントローラ１３０は、時計設定項目の設定が確定された後に、時計設定画面を液晶ディスプレイ１２３に表示する操作方法を液晶ディスプレイ１２３に表示する。これにより、ユーザーは、時計設定項目を再設定するための操作方法を知ることができる。従って、ユーザーは、誤って年月日および時刻を入力して設定を終了してしまった場合においても、容易に時計設定を再設定することができる。
【００４０】
また、実施の形態１のデジタルカメラ１００において、コントローラ１３０は、時計設定項目の設定が確定された後に、確定された時計設定項目の内容をユーザーに確認する画面を液晶ディスプレイ１２３に表示する。これによりユーザーは、一度設定項目を確定した後であっても、確定された時計設定の内容を確認することができる。従って、誤って年月日および時刻を設定して確定してしまった場合であっても、ユーザーは、設定した内容を容易に確認することができる。
【００４１】
また、実施の形態１のデジタルカメラ１００において、液晶ディスプレイ１２３が表示する操作方法は、時計設定画面を液晶ディスプレイ１２３に表示するまでにユーザーが選択すべきキーワードである。これにより、ユーザーは時計設定を再設定する際に辿るべき操作手順を容易に知ることができる。従って、ユーザーは、容易に時計設定の再設定をすることができる。
【００４２】
〔２．その他の実施形態〕
本発明は上記実施の形態に限定されず、種々の実施の形態が考えられる。以下に他の実施の形態についてまとめて説明する。
【００４３】
上記実施の形態１では、時計設定の再設定手順の画面を、初回起動時の時計設定後に、液晶ディスプレイ１２３に表示していたが、本発明はこれに限定されない。すなわち、表示する再設定手順に記載の手順とは別の操作により、ユーザーの意図とは関係なく時計設定画面が表示された後に再設定手順を表示するようにしても同様の効果が得られる。
【００４４】
上記実施の形態１では、時計設定画面の後に同機能である時計設定の再設定手順を表示していたが、表示する内容は同機能の再設定手順に限らず時計設定と関連する別の機能でもよい。例えば、海外旅行中の時差を時計設定に自動で反映する機能のON/OFF設定までの手順等を表示してもよい。これにより、ユーザーは時計機能と関連する別の機能の設定手順を容易に知ることができる。更に、ユーザーは、設定項目画面に辿り着くまでの操作手順が多く、通常では気づきにくい関連する他の機能の存在を知ることができる。
【００４５】
上記実施の形態１では、時計設定機能を対象とし、再設定手順を表示していたが時計設定機能に限定されず、機器の動作に関する各種設定が設定されていない場合についても適用可能である。例えば、デジタルカメラに搭載されているＧＰＳ機能に関する設定等でも同様である。この場合、初回起動時にＧＰＳ機能のON/OFFをユーザーに設定させる画面を表示した後に、同機能の再設定手順を表示することでも同様の効果が得られる。
【００４６】
従って、ユーザーにとって各種設定項目の設定に便利なデジタルカメラ１００を提供することができる。
【産業上の利用可能性】
【００４７】
本発明はデジタルカメラ１００への適用に限定されない。すなわち表示部を備え、機器に関する各種設定項目を設定する機能を搭載したムービーカメラ、携帯電話、テレビ、電子レンジ、冷蔵庫など電子機器全般に対して本発明は適用できる。
【符号の説明】
【００４８】
１００    デジタルカメラ
１１１    フォーカスレンズ
１１２    ズームレンズ
１１３    絞り
１１４    シャッタ
１２０    ＣＣＤイメージセンサ
１２１    ＡＦＥ（Analog Front End）
１２２    画像処理部
１２３    液晶ディスプレイ
１２４    バッファメモリ
１３０    コントローラ
１４０    メモリカード
１４１    カードスロット
１４２    フラッシュメモリ
１５０    操作部
１６０    時計回路
２０１    レリーズ釦
２０２    ズームダイヤル
２０３    選択釦
２０５    決定釦
２０６    削除釦
【図１】
2011134180.tif 000003
【図２】
2011134180.tif 000004
【図３】
2011134180.tif 000005
【図４】
2011134180.tif 000006
【図５】
2011134180.tif 000007
【図６】
2011134180.tif 000008
【図７】
2011134180.tif 000009
【図８】
2011134180.tif 000010
【図９】
2011134180.tif 000011
【図１０】
2011134180.tif 000012